(57)【要約】      （修正有）【課題】ユーザーが回転操作部材を操作する際の操作感や反応性を向上できる電子時計を提供する。【解決手段】電子時計１は、回転操作部材１４と、回転操作部材の回転に応じた信号の入力を検出する回転検出部４７２と、検出された信号の変化に基づいて、所定のタイミングで回転操作部材の回転を判定する回転判定部４７３と、回転判定部に所定のタイミングを設定する回転設定部４７１と、を有し、回転設定部は、所定のタイミングを、信号の変化に基づく第１タイミングと、信号の変化に基づき且つ第１タイミングとは異なる第２タイミングとを含む複数種類のタイミングから選択して設定可能であることを特徴とする。【選択図】図３
2019174166.tif 000002
【特許請求の範囲】
【請求項１】
回転操作部材と、
前記回転操作部材の回転に応じた信号の入力を検出する回転検出部と、
前記検出された前記信号の変化に基づいて、所定のタイミングで前記回転操作部材の回転を判定する回転判定部と、
前記回転判定部に前記所定のタイミングを設定する回転設定部と、を有し、
前記回転設定部は、前記所定のタイミングを、前記信号の変化に基づく第１タイミングと、前記信号の変化に基づき且つ前記第１タイミングとは異なる第２タイミングと、を含む複数種類のタイミングから選択して設定可能である
ことを特徴とする電子時計。
【請求項２】
請求項１に記載の電子時計において、
前記回転操作部材の回転に伴って移動する移動部材と、
接点を有する回路基板と、を有し、
前記回転検出部は、前記移動部材と前記接点との接触に応じた第１信号の入力と、前記移動部材と前記接点との非接触に応じた第２信号の入力と、を検出し、
前記回転設定部は、前記第１タイミングを、前記第２信号から前記第１信号に変化したタイミングに設定可能であり、前記第２タイミングを、前記第１信号から前記第２信号に変化したタイミングに設定可能である
ことを特徴とする電子時計。
【請求項３】
請求項１に記載の電子時計において、
前記回転操作部材の回転に伴って移動する移動部材と、
接点を有する回路基板と、を有し、
前記回転検出部は、前記移動部材と前記接点との接触に応じた第１信号の入力と、前記移動部材と前記接点との非接触に応じた第２信号の入力と、を検出し、
前記回転設定部は、前記第１タイミングを、前記第２信号から前記第１信号に変化したタイミングに設定可能であり、前記第２タイミングを、前記第１信号が検出されている間において、前記第２信号から前記第１信号に変化してから所定時間が経過したタイミングに設定可能である
ことを特徴とする電子時計。
【請求項４】
請求項１に記載の電子時計において、
前記回転操作部材の回転に伴って移動する移動部材と、
接点を有する回路基板と、を有し、
前記回転検出部は、前記移動部材と前記接点との接触に応じた第１信号の入力と、前記移動部材と前記接点との非接触に応じた第２信号の入力と、を検出し、
前記回転設定部は、前記第１タイミングを、前記第１信号から前記第２信号に変化したタイミングに設定可能であり、前記第２タイミングを、前記第１信号が検出されている間において、前記第２信号から前記第１信号に変化してから所定時間が経過したタイミングに設定可能である
ことを特徴とする電子時計。
【請求項５】
請求項１に記載の電子時計において、
前記回転操作部材の回転に伴って移動する移動部材と、
接点を有する回路基板と、を有し、
前記回転検出部は、前記移動部材と前記接点との接触に応じた第１信号の入力と、前記移動部材と前記接点との非接触に応じた第２信号の入力と、を検出し、
前記回転設定部は、前記所定のタイミングを、前記第１信号から前記第２信号に変化した第１タイミングと、前記第２信号から前記第１信号に変化した第２タイミングと、前記第１信号が検出されている間において、前記第２信号から前記第１信号に変化してから所定時間が経過した第３タイミングとから選択して設定可能である
ことを特徴とする電子時計。
【請求項６】
請求項２から請求項５のいずれか一項に記載の電子時計において、
前記回転操作部材の単回し操作または連続回し操作を判別する操作判別部を備え、
前記操作判別部は、前記回転判定部が前記回転を判定したタイミングで開始する所定の連続回し判別時間の間に、前記回転判定部が前記回転を判定した回数が１回の場合は、前記連続回し判別時間が経過した時点で前記単回し操作が行われたと判別し、前記回転を判定した回数が２回以上の所定回数の場合は、前記回転判定部が前記所定回数の前記回転を判定したタイミングで前記連続回し操作が行われたと判別する
ことを特徴とする電子時計。
【請求項７】
請求項６に記載の電子時計において、
前記回転設定部は、前記連続回し判別時間の間に、前記回転判定部が１回目の前記回転の判定を行うタイミングと、２回目の前記回転の判定を行うタイミングと、で異なる種類のタイミングを設定可能である
ことを特徴とする電子時計。
【請求項８】
請求項７に記載の電子時計において、
前記回転設定部は、前記回転判定部が１回目の前記回転を判定するタイミングを前記第１信号から前記第２信号に変化したタイミングに設定し、２回目の前記回転を判定するタイミングを前記第２信号から前記第１信号に変化したタイミングに設定する
ことを特徴とする電子時計。
【請求項９】
請求項６から請求項８のいずれか一項に記載の電子時計において、
前記操作判別部は、前記回転判定部が前記回転を判定した際に、前記連続回し判別時間の経過を待たずに、前記単回し操作が行われたと判別する連続回し判別無効モードに設定可能である
ことを特徴とする電子時計。
【請求項１０】
請求項６から請求項９のいずれか一項に記載の電子時計において、
前記回転設定部は、前記操作判別部が前記単回し操作を判別した後、前記信号の入力を検出しない第１入力無視時間と、前記操作判別部が前記連続回し操作を判別した後、前記信号の入力を検出しない第２入力無視時間とを、前記回転検出部に設定可能である
ことを特徴とする電子時計。
【請求項１１】
請求項２から請求項１０のいずれか一項に記載の電子時計において、
前記回転設定部は、前記信号が前記第２信号から前記第１信号に変化したことを検出する場合のチャタリングの影響を軽減させるための第１入力検定時間と、前記信号が前記第１信号から前記第２信号に変化したことを検出する場合のチャタリングの影響を軽減させるための第２入力検定時間とを、前記回転検出部に設定可能である
ことを特徴とする電子時計。
【発明の詳細な説明】
【技術分野】
【０００１】
本発明は電子時計に関する。
【背景技術】
【０００２】
従来、電子式りゅうずを使用した電子時計が知られている（例えば、特許文献１参照）。
【０００３】
特許文献１の電子時計は、りゅうずを回転させると、巻真に係合しているスイッチ車が回転する。これにより、スイッチ車と噛み合っている中立バネが移動し、りゅうず回転スイッチバネ接点部とりゅうず回転検出スイッチの電極とが電気的に接続されることで、りゅうずの回転が検出される。
【先行技術文献】
【特許文献】
【０００４】
【特許文献１】特開２００８−１３４１２９号公報
【発明の概要】
【発明が解決しようとする課題】
【０００５】
ところで、特許文献１の電子時計では、中立バネの先端部とスイッチ車の歯の噛み合せとが外れることで、りゅうず回転スイッチバネ接点部とりゅうず回転検出スイッチの電極との電気的な接続が解消される。この際、中立バネに付勢されていた力が解放されることにより、クリック感が生じる。
ここで、特許文献１の電子時計では、りゅうずの回転が検出されるタイミングは、りゅうず回転スイッチバネ接点部とりゅうず回転検出スイッチの電極とが電気的に接続されるタイミングに固定されている。そのため、りゅうずの回転が検出され、その後、中立バネの先端がスイッチ車の歯から離れるタイミングでクリック感が生じることになる。つまり、りゅうずの回転検出のタイミングとクリック感が生じるタイミングとが一致しない。そのため、ユーザーによってはりゅうずを回転操作する際に違和感を抱く場合がある。
また、例えば、クリック感が生じるタイミングに合わせて、りゅうずの回転が検出されるタイミングを遅らせたとすると、りゅうずを操作してから回転が検出されるまでの時間が長くなるので、りゅうずを連続して回転させる操作を連続して早く行う場合等において、ユーザーによってはりゅうずを操作する際の反応性が悪化したと感じる場合がある。
このように、特許文献１の電子時計では、りゅうずの回転を検出するタイミングが固定されているので、ユーザーがりゅうずを操作する際に、操作感や反応性に違和感を抱いた場合に解消できないといった問題があった。
【０００６】
本発明の目的は、ユーザーが回転操作部材を操作する際の操作感や反応性を向上できる電子時計を提供することにある。
【課題を解決するための手段】
【０００７】
本発明の電子時計は、回転操作部材と、前記回転操作部材の回転に応じた信号の入力を検出する回転検出部と、前記検出された前記信号の変化に基づいて、所定のタイミングで前記回転操作部材の回転を判定する回転判定部と、前記回転判定部に前記所定のタイミングを設定する回転設定部と、を有し、前記回転設定部は、前記所定のタイミングを、前記信号の変化に基づく第１タイミングと、前記信号の変化に基づき且つ前記第１タイミングとは異なる第２タイミングと、を含む複数種類のタイミングから選択して設定可能であることを特徴とする。
【０００８】
本発明では、回転設定部は、回転判定部が回転操作部材の回転を判定するタイミングを、回転検出部が検出する信号の変化に基づいて設定される複数種類のタイミングから選択して設定可能である。例えば、回転検出部が第１信号および第２信号の２種類の信号を検出する場合、複数種類のタイミングは、第２信号から第１信号に変化した第１タイミング、第１信号から第２信号に変化した第２タイミング、第２信号から第１信号に変化した時点から予め設定された所定時間経過した第３タイミングなど、信号が変化したタイミングを基準に設定される。
そのため、例えば、回転操作部材を回転操作する際に生じるクリック感等に応じて第１タイミングを設定すれば、ユーザーの操作感と回転操作部材の回転判定タイミングとを一致させることができる。また、例えば、回転検出部が回転操作部材の回転に応じた信号を検出してから、回転判定部が回転操作部材の回転を判定するまでの時間が短くなるように第２タイミングを設定すれば、ユーザーがりゅうず等を回転操作する際の反応性を向上できる。
このように、本発明によれば、回転設定部は、回転判定部が回転操作部材の回転を判定するタイミングを、複数種類のタイミングから選択して設定可能なので、ユーザーが回転操作部材を操作する際の操作感や反応性を向上できる。
【０００９】
本発明の電子時計において、前記回転操作部材の回転に伴って移動する移動部材と、接点を有する回路基板と、を有し、前記回転検出部は、前記移動部材と前記接点との接触に応じた第１信号の入力と、前記移動部材と前記接点との非接触に応じた第２信号の入力と、を検出し、前記回転設定部は、前記第１タイミングを、前記第２信号から前記第１信号に変化したタイミングに設定可能であり、前記第２タイミングを、前記第１信号から前記第２信号に変化したタイミングに設定可能であることが好ましい。
【００１０】
本発明では、回転操作部材の回転に伴って、移動部材と回路基板の接点とが接触する。そして、回転検出部は、移動部材と接点とが接触した場合に第１信号が入力されたと検出し、移動部材と接点とが非接触の場合、すなわち離間している場合に第２信号が入力されたと検出する。
この際、回転設定部は、第１タイミングを、第２信号から第１信号に変化するタイミングに設定できるので、所定のタイミングを第１タイミングに設定すれば、回転検出部が移動部材と接点との接触を検出したタイミングで、回転判定部は回転操作部材の回転を判定することができる。そのため、ユーザーが回転操作部材を操作してから、回転判定部が回転操作部材の回転を判定するまでの時間を短くでき、ユーザーが回転操作部材を操作する際の反応性を向上できる。
また、回転設定部は、第２タイミングを、第１信号から第２信号に変化するタイミングに設定できるので、所定のタイミングを第２タイミングに設定すれば、回転検出部が移動部材と接点とが離間したことを検出したタイミングで、回転判定部は回転操作部材の回転を判定することができる。ここで、通常、移動部材と接点とが離間するタイミングでは、回転操作部材の回転に伴って移動部材に作用していた力が解放され、クリック感が生じることが多い。そのため、所定のタイミングを第２タイミングに設定することで、回転操作部材の回転が判定されるタイミングとクリック感が生じるタイミングとを合わせることができる。
【００１１】
本発明の電子時計において、前記回転操作部材の回転に伴って移動する移動部材と、接点を有する回路基板と、を有し、前記回転検出部は、前記移動部材と前記接点との接触に応じた第１信号の入力と、前記移動部材と前記接点との非接触に応じた第２信号の入力と、を検出し、前記回転設定部は、前記第１タイミングを、前記第２信号から前記第１信号に変化したタイミングに設定可能であり、前記第２タイミングを、前記第１信号が検出されている間において、前記第２信号から前記第１信号に変化してから所定時間が経過したタイミングに設定可能であることが好ましい。
本発明では、回転設定部は、第１タイミングを、第２信号から第１信号に変化するタイミングに設定できるので、所定のタイミングを第１タイミングに変更すれば、前述のように、ユーザーが回転操作部材を操作する際の反応性を向上できる。
また、回転設定部は、第２タイミングを、第１信号が検出されている間において、第２信号から第１信号に変化してから所定時間経過したタイミングに設定できる。つまり、第２タイミングを、第１信号が検出されている間のいずれかのタイミングに設定できる。そのため、所定のタイミングを第２タイミングに変更することで、第１信号から第２信号に変化するタイミングで回転を判定する場合と比べて、ユーザーが回転操作部材を操作してから、回転判定部が回転を判定するまでの時間を短くできる。また、第２信号から第１信号に変化するタイミングで回転を判定する場合と比べて、回転判定部が回転を判定してからクリック感が生じるまでの時間を短くできる。すなわち、ユーザーが回転操作部材を操作する際の、反応性と操作感とのバランスを取ることができる。
【００１２】
本発明の電子時計において、前記回転操作部材の回転に伴って移動する移動部材と、接点を有する回路基板と、を有し、前記回転検出部は、前記移動部材と前記接点との接触に応じた第１信号の入力と、前記移動部材と前記接点との非接触に応じた第２信号の入力と、を検出し、前記回転設定部は、前記第１タイミングを、前記第１信号から前記第２信号に変化したタイミングに設定可能であり、前記第２タイミングを、前記第１信号が検出されている間において、前記第２信号から前記第１信号に変化してから所定時間が経過したタイミングに設定可能であることが好ましい。
本発明では、回転設定部は、第１タイミングを、第１信号から第２信号に変化するタイミングに設定できるので、所定のタイミングを第１タイミングに変更すれば、前述のように、回転操作部材の回転が判定されるタイミングとクリック感が生じるタイミングとを一致させることができる。
また、回転設定部は、第２タイミングを、第１信号が検出されている間において、第２信号から第１信号に変化してから所定時間経過したタイミングに設定できるので、所定のタイミングを第２タイミングに変更すれば、前述のように、ユーザーが回転操作部材を操作する際の、反応性と操作感とのバランスを取ることができる。
【００１３】
本発明の電子時計において、前記回転操作部材の回転に伴って移動する移動部材と、接点を有する回路基板と、を有し、前記回転検出部は、前記移動部材と前記接点との接触に応じた第１信号の入力と、前記移動部材と前記接点との非接触に応じた第２信号の入力と、を検出し、前記回転設定部は、前記所定のタイミングを、前記第１信号から前記第２信号に変化した第１タイミングと、前記第２信号から前記第１信号に変化した第２タイミングと、前記第１信号が検出されている間において、前記第２信号から前記第１信号に変化してから所定時間が経過した第３タイミングとから選択して設定可能であることが好ましい。
本発明では、回転設定部は、所定のタイミングを、第１信号から第２信号に変化する第１タイミングに設定できるので、前述のように、回転操作部材の回転が判定されるタイミングとクリック感が生じるタイミングとを一致させることができる。
また、回転設定部は、所定のタイミングを、第２信号から第１信号に変化する第２タイミングに設定できるので、前述のように、ユーザーが回転操作部材を操作する際の反応性を向上できる。
さらに、回転設定部は、所定のタイミングを、第１信号が検出されている間において、第２信号から第１信号に変化してから所定時間経過した第３タイミングに設定できるので、前述のように、ユーザーが回転操作部材を操作する際の、反応性と操作感とのバランスを取ることができる。
このように、本発明では、回転設定部は、所定のタイミングを異なる３種類のタイミングから選択して設定可能なので、ユーザーが回転操作部材を操作する際の操作感や反応性を向上できる。
【００１４】
本発明の電子時計において、前記回転操作部材の単回し操作または連続回し操作を判別する操作判別部を備え、前記操作判別部は、前記回転判定部が前記回転を判定したタイミングで開始する所定の連続回し判別時間の間に、前記回転判定部が前記回転を判定した回数が１回の場合は、前記連続回し判別時間が経過した時点で前記単回し操作が行われたと判別し、前記回転を判定した回数が２回以上の所定回数の場合は、前記回転判定部が前記所定回数の前記回転を判定したタイミングで前記連続回し操作が行われたと判別することが好ましい。
本発明では、操作判別部は、所定の連続回し判別時間の間に、回転判定部が回転を判定した回数に応じて、回転操作部材が単回し操作または連続回し操作されたことを判別する。この際、操作判別部は、回転判定部が２回以上の所定回数の回転を判定したタイミングで連続回し操作が行われたと判別するので、連続回し判別時間の経過を待たずに連続回し操作を判別できる。そのため、回転操作部材が連続回し操作されたことを判別するまでの時間を短くすることができる。
【００１５】
本発明の電子時計において、前記回転設定部は、前記連続回し判別時間の間に、前記回転判定部が１回目の前記回転の判定を行うタイミングと、２回目の前記回転の判定を行うタイミングと、で異なる種類のタイミングを設定可能であることが好ましい。
本発明では、例えば、第１信号から第２信号に変化するタイミングで回転判定部が１回目の回転を判定し、第２信号から第１信号に変化するタイミングで回転判定部が２回目の回転を判定するように設定することができる。そのため、ユーザーの志向等に応じて、回転設定部は、１回目の回転を判定するタイミングと、２回目の回転を判定するタイミングとで異なる種類のタイミングを設定でき、ユーザーが回転操作部材を操作する際の操作感や反応性を向上できる。
【００１６】
本発明の電子時計において、前記回転設定部は、前記回転判定部が１回目の前記回転を判定するタイミングを前記第１信号から前記第２信号に変化したタイミングに設定し、２回目の前記回転を判定するタイミングを前記第２信号から前記第１信号に変化したタイミングに設定することが好ましい。
本発明では、操作判別部が連続回し操作を判別する際に、回転判定部が１回目の回転を判定するタイミングを第１信号から前記第２信号に変化したタイミングに設定し、２回目の回転を判定するタイミングを第２信号から前記第１信号に変化したタイミングに設定する。すなわち、回転判定部が、回転操作部材の回転に伴って移動部材が接点と接触した後、移動部材と接点とが離間したタイミングで１回目の回転を判定し、その後、次に移動部材と接点とが接触するタイミングで２回目の回転を判定するように設定する。この場合、回転判定部が１回目の回転を判定してから、２回目の回転を判定するまでの時間が短くなるので、所定の連続回し判別時間の間に２回以上の回転が判定されやすくなる。したがって、ユーザーが連続回し操作を行いたい場合に、回転操作部材を極端に早く回転させなくてもよく、ユーザーの操作性を向上できる。
【００１７】
本発明の電子時計において、前記操作判別部は、前記回転判定部が前記回転を判定した際に、前記連続回し判別時間の経過を待たずに、前記単回し操作が行われたと判別する連続回し判別無効モードに設定可能であることが好ましい。
本発明では、操作判別部は、回転判定部が回転を判定したら、連続回し判別時間の経過を待たずに、前記単回し操作が行われたと判別する連続回し判別無効モードに設定することができる。そのため、回転判定部が回転を判定してから、操作判別部が単回し操作を判別するまでの時間を短くでき、ユーザーが回転操作部材を操作する際の反応性を向上できる。また、操作判別部は、連続回し判別無効モードに設定されている間は連続回し操作を判別しないので、ユーザーが意図しない操作によって、連続回し操作が判別されることを防ぐことができる。
【００１８】
本発明の電子時計において、前記回転設定部は、前記操作判別部が前記単回し操作を判別した後、前記信号の入力を検出しない第１入力無視時間と、前記操作判別部が前記連続回し操作を判別した後、前記信号の入力を検出しない第２入力無視時間とを、前記回転検出部に設定可能であることが好ましい。
ここで、例えば、手動時刻修正処理において、操作判別部が単回し操作を判別した場合は、指針を１ステップ毎に駆動させる通常の単修正モードが実行され、連続回し操作を判別した場合は、指針を通常の運針速度よりも速い早回し速度で連続駆動させる早回し修正モードが実行されることが例示される。
本発明では、第１入力無視時間と第２入力無視時間とを、回転検出部に設定することができる。すなわち、第１入力無視時間と第２入力無視時間とを、同じ時間に設定してもよいし、異なる時間に設定してもよい。
そのため、例えば、単回し操作の判別により単修正モードが実行される場合において、第１入力無視時間を短く設定すれば、回転検出部は信号の入力を検出しやすくなる。つまり、ユーザーが回転操作部材を回転操作した際に、回転判定部による回転の判定がされやすくなるので、ユーザーの操作性を向上できる。
また、例えば、連続回し操作の判別により早回し修正モードが実行される場合において、第２入力無視時間を長く設定すれば、回転検出部は信号の入力を検出しにくくなる。ここで、通常、指針を早回しで連続駆動させている場合、次に回転操作部材の回転が判定された際に、連続駆動が停止するように設定されていることが多い。そのため、第２入力無視時間を長く設定することによって、連続回し操作を判別した後、ユーザーの意図しない操作によって、さらに回転がもう１回判定されることを防ぐことができる。したがって、ユーザーが意図せずに早回し修正モードを停止してしまうことを防ぐことができ、ユーザーの操作性を向上できる。
このように、本発明では、第１入力無視時間と第２入力無視時間とを、回転検出部にそれぞれ設定できるので、ユーザーが回転操作部材を操作する際の操作性を向上できる。
【００１９】
本発明の電子時計において、前記回転設定部は、前記信号が前記第２信号から前記第１信号に変化したことを検出する場合のチャタリングの影響を軽減させるための第１入力検定時間と、前記信号が前記第１信号から前記第２信号に変化したことを検出する場合のチャタリングの影響を軽減させるための第２入力検定時間とを、前記回転検出部に設定可能であることが好ましい。
ここで、第１入力検定時間と第２入力検定時間とは、同じ時間に設定してもよいし、異なる時間に設定してもよい。
そのため、回転設定部は、第２信号から第１信号に変化したことを検出する場合の第１入力検定時間と、第１信号から第２信号に変化したことを検出する場合の第２入力検定時間とを、それぞれ回転検出部に設定できる。したがって、移動部材が接点と接触する際に発生するチャタリングの期間に応じて第１入力検定時間を設定でき、移動部材と接点とが離間する際に発生するチャタリングの期間に応じて第２入力検定時間を設定できるので、チャタリングの影響を軽減でき、第１信号および第２信号をより正確に検出できる。
【図面の簡単な説明】
【００２０】
【図１】本発明の電子時計を示す正面図。
【図２】回転検出機構の概略構成を示す図。
【図３】電子時計の概略構成を示すブロック図。
【図４】電子時計の記憶装置の構成を示すブロック図。
【図５】第１実施形態でのりゅうず回転検出部に検出信号が入力される状態を示す図。
【図６】回転判定第１モードにおける回転を判定するタイミングを示す模式図。
【図７】回転判定第２モードにおける回転を判定するタイミングを示す模式図。
【図８】回転判定第３モードにおける回転を判定するタイミングを示す模式図。
【図９】連続回し判別処理において回転が１回のみ判定された場合の検出信号の入力状況を示す図。
【図１０】連続回し判別処理において回転が２回判定された場合の検出信号の入力状況を示す図。
【図１１】手動時刻修正のフローチャート。
【図１２】回転判定第１モードにおける判定処理のフローチャート。
【図１３】回転判定第２モードにおける判定処理のフローチャート。
【図１４】回転判定第３モードにおける判定処理のフローチャート。
【図１５】第２実施形態での、１回目の判定を回転判定第１モードで行い、２回目の判定を回転判定第２モードで行う場合の連続回し判別処理を示す模式図。
【図１６】第２実施形態での、１回目の判定を回転判定第２モードで行い、２回目の判定を回転判定第１モードで行う場合の連続回し判別処理を示す模式図。
【図１７】第３実施形態での、連続回し判別無効モードに設定されている場合のりゅうずの操作を判別する処理を示す模式図。
【図１８】第４実施形態での、りゅうず回転検出部に検出信号が入力される状態を示す図。
【図１９】第５実施形態での、りゅうず回転設定部による回転判定モードの設定例を示す図。
【発明を実施するための形態】
【００２１】
［第１実施形態］
以下、本発明の第１実施形態に係る電子時計１について、図面に基づいて説明する。
図１は、本発明の第１実施形態に係る電子時計１の正面図である。
図１に示すように、電子時計１は、地球の上空を所定の軌道で周回している複数のＧＰＳ衛星１００のうち、少なくとも１つのＧＰＳ衛星１００からの衛星信号を受信して時刻情報を取得し、少なくとも３つのＧＰＳ衛星１００からの衛星信号を受信して位置情報を算出するように構成されている。なお、ＧＰＳ衛星１００は、位置情報衛星の一例であり、地球の上空に複数存在している。現在は約３０個のＧＰＳ衛星１００が周回している。
【００２２】
［電子時計］
電子時計１は、使用者の手首に装着される腕時計であり、文字板１１、指針１２および外装ケース１７を備え、時刻を計時して表示する。
文字板１１の大部分は、光および１．５ＧＨｚ帯のマイクロ波が透過し易い非金属の材料（例えば、プラスチックまたはガラス）で形成されている。
指針１２は、文字板１１の表面側に設けられている。また、指針１２は、回転軸１３を中心に回転移動する秒針１２１、分針１２２および時針１２３を含み、歯車を介してステップモーターで駆動される。
外装ケース１７は、ステンレス鋼（ＳＵＳ）やチタン等の金属で構成され、略円筒状に形成されている。外装ケース１７の表面側の開口には、ベゼル１８を介して開口を覆う表面ガラス１９が取り付けられている。ベゼル１８は、衛星信号の受信性能を向上させるためにセラミックス等の非金属材料で構成され、タイムゾーンを選択するための地点情報が設けられている。外装ケース１７の裏面側の開口には、図示略の裏蓋が取り付けられている。外装ケース１７の内部には、文字板１１、ＧＰＳアンテナ２３（図３参照）、二次電池２４（図３参照）、駆動機構２１０（図３参照）を備えたムーブメント（図示略）、ソーラーパネル２２（図３参照）等が配置されている。
【００２３】
［操作部の操作］
電子時計１では、りゅうず１４やボタン１５、１６を有する入力装置７０の手動操作に応じた処理が実行される。具体的には、りゅうず１４が操作されると、その操作に応じて表示時刻を修正する手動修正処理が実行される。また、ボタン１５が長時間（例えば３秒以上の時間）にわたって押されると、衛星信号を受信するための手動受信処理（強制受信処理）が実行される。
なお、りゅうず１４は、本発明の回転操作部材の一例である。
【００２４】
また、ボタン１６が押されると、受信モード（測時モード、測位モード）を切り替える切替処理が実行される。
測時モードとは、１つ以上のＧＰＳ衛星１００を捕捉して衛星信号を受信し、受信した衛星信号から時刻情報を取得するモードである。
測位モードとは、３つ以上のＧＰＳ衛星１００を捕捉して衛星信号を受信し、受信した衛星信号に基づいて測位演算することで位置情報を取得するモードである。なお、測位モードでは、通常、衛星信号から時刻情報も同時に取得できるが、測位モードにおいて、衛星信号から時刻情報を取得しなくてもよい。
【００２５】
ボタン１６の操作による受信モードの設定は、後述する記憶装置６０に記憶される。この際、測時モードに設定された場合には、秒針１２１が「Ｔｉｍｅ」の位置（５秒位置）に移動し、測位モードに設定された場合には、秒針１２１が「Ｆｉｘ」の位置（１０秒位置）に移動する。このため、ユーザーは設定された受信モードを容易に確認できる。
なお、受信モードは、秒針１２１で指示するものに限らず、モードを指示する指針（モード針）を別に設けて表示してもよい。
【００２６】
なお、後述する定時受信処理時には、ボタン１６で設定されたモードに関係なく、受信モードを測時モードまたは測位モードに固定してもよいし、定時受信処理時もボタン１６で設定された受信モードで制御してもよい。本実施形態では、後述するように、定時受信処理時は測時モードに固定している。
【００２７】
また、ボタン１５が短時間（例えば３秒未満）押されると、前回の受信処理の結果を表示する結果表示処理が行われる。すなわち、測位モードで受信成功の場合には、秒針１２１が「Ｆｉｘ」（１０秒位置）の位置に移動し、測時モードで受信成功の場合には、秒針１２１が「Ｔｉｍｅ」（５秒位置）の位置に移動する。また、受信失敗の場合には秒針１２１が「Ｎ」の位置（２０秒位置）に移動する。
なお、これらの秒針１２１による指示は受信中も行われる。測位モードで受信中は秒針１２１が「Ｆｉｘ」の位置（１０秒位置）に移動し、測時モードで受信中は秒針１２１が「Ｔｉｍｅ」の位置（５秒位置）に移動する。また、ＧＰＳ衛星１００が捕捉できない場合は秒針１２１が「Ｎ」の位置（２０秒位置）に移動する。
【００２８】
［回転検出機構］
図２は、回転検出機構２７の概略構成を示す図である。
回転検出機構２７は、りゅうず１４が回転操作された際に、その回転方向と回転量を検出する。
図２に示すように、回転検出機構２７は、一端にりゅうず１４が取り付けられた巻真１４１と、この巻真１４１に中心が固定されたスイッチ車１４２とを備えている。スイッチ車１４２は、外周縁に複数（本実施形態では１２０度間隔となる３つ）の歯１４３を備えている。
そして、回転検出機構２７は、図２に示すように、移動部材２７１と、接点バネ２７２と、回路基板２７３と、を備えている。回路基板２７３は、第１スイッチ２７３Ａと、第２スイッチ２７３Ｂ、とを有している。ここで、第１スイッチ２７３Ａおよび第２スイッチ２７３Ｂは、本発明の接点の一例である。
【００２９】
移動部材２７１は、スイッチ車１４２の歯１４３の移動経路上で、スイッチ車１４２の外周縁の接線方向に移動可能に設けられている。そして、移動部材２７１は、スイッチ車１４２の歯１４３が接触すると、スイッチ車１４２の回転方向（りゅうず１４の回転操作方向）に移動する。
【００３０】
接点バネ２７２は、移動部材２７１に固定され、当該移動部材２７１を、歯１４３の移動経路上である初期位置側に付勢する。したがって、りゅうず１４が回転操作されて、歯１４３により移動部材２７１が移動された後、歯１４３が移動部材２７１から離れると、移動部材２７１は、接点バネ２７２の付勢力により初期位置に戻る。
この接点バネ２７２は、後述する制御装置４０（図３参照）に接続され所定の電源電圧（ＶＤＤ）が印加されている。接点バネ２７２は、移動部材２７１が第１スイッチ２７３Ａ側に移動した際に、当該第１スイッチ２７３Ａに接触する接点２７２Ａと、移動部材２７１が第２スイッチ２７３Ｂ側に移動した際に、当該第２スイッチ２７３Ｂに接触する接点２７２Ｂと、を備えている。また、第１スイッチ２７３Ａおよび第２スイッチ２７３Ｂは、それぞれ制御装置４０に接続されている。
ここで、りゅうず１４が右回転されると、接点２７２Ａと第１スイッチ２７３Ａとが接触することで、第１スイッチ２７３Ａがオン状態となり、Ｈｉｇｈレベルの検出信号が制御装置４０に出力される。
また、りゅうず１４がさらに右回転されて、接点２７２Ａと第１スイッチ２７３Ａとが離れると、第１スイッチ２７３Ａはオフ状態となり、Ｌｏｗレベルの検出信号が制御装置４０に出力される。
なお、接点バネ２７２は低電位側の電源端子ＶＳＳに接続されていてもよい。この場合、接点２７２Ａと第１スイッチ２７３Ａとが接触し、第１スイッチ２７３Ａがオン状態となると、Ｌｏｗレベルの検出信号が出力され、接点２７２Ａと第１スイッチ２７３Ａとが離れ、第１スイッチ２７３Ａはオフ状態となると、Ｈｉｇｈレベルの検出信号が出力される。
また、りゅうず１４が左回転される場合も、同様である。したがって、第１スイッチ２７３Ａがオン状態になったか、第２スイッチ２７３Ｂがオン状態になったかを判定することで、りゅうず１４の回転方向を検出することが可能となる。
本実施形態では、上記したように、歯１４３が１２０度間隔で配置されているため、回転検出機構２７は、りゅうず１４が１２０度回転される毎に検出信号を制御装置４０に出力する。
【００３１】
また、りゅうず１４は、巻真１４１の軸方向に３段階で移動可能な構成となっている。そして、回転検出機構２７には、りゅうず１４が引き出された段数に応じた信号を制御装置４０に出力する第３スイッチ２７４Ａ（図３参照）および第４スイッチ２７４Ｂ（図３参照）を備えている。
第３スイッチ２７４Ａは、りゅうず１４が１段引き出された際に制御装置４０に引出検出信号を出力し、第４スイッチ２７４Ｂは、りゅうず１４が２段引き出された際に制御装置４０に引出検出信号を出力する。制御装置４０は、引出検出信号が出力されたスイッチを判定することで、りゅうず１４の引出段数を判断することが可能となる。
【００３２】
［電子時計の概略構成］
図３は、電子時計１の概略構成を示すブロック図である。電子時計１は、ソーラーパネル２２、二次電池２４、受信装置３０、制御装置４０、計時装置５０、記憶装置６０、入力装置７０、充電回路８０、駆動機構２１０等を備えている。
充電回路８０は、ソーラーパネル２２で発生した電力を二次電池２４に供給し、二次電池２４を充電する。
駆動機構２１０は、秒針モーター２１３、時分針モーター２１４、輪列（図示略）、駆動回路（図示略）等を備えて構成されている。駆動機構２１０は、これらの秒針モーター２１３、時分針モーター２１４、輪列を介して指針１２を駆動する。
【００３３】
［受信装置］
受信装置３０は、制御装置４０によって駆動されると、ＧＰＳアンテナ２３を通じてＧＰＳ衛星１００から送信される衛星信号を受信する。そして、受信装置３０は、衛星信号の受信に成功した場合には、取得した軌道情報やＧＰＳ時刻情報等の情報を制御装置４０へ送信する。一方、衛星信号の受信に失敗した場合には、受信装置３０は、その旨の情報を制御装置４０へ送信する。なお、受信装置３０の構成は、公知のＧＰＳ受信回路の構成と同様であるため、その説明を省略する。
【００３４】
［計時装置］
計時装置５０は、水晶振動子等を備え、水晶振動子の発振信号に基づく基準信号を用いて時刻データを更新する。
【００３５】
［記憶装置］
図４は、記憶装置６０の構成を示すブロック図である。
記憶装置６０は、図４に示すように、時刻データ記憶部６００と、タイムゾーンデータ記憶部６８０と、定時受信時刻記憶部６９０とを備えている。
【００３６】
時刻データ記憶部６００には、受信時刻データ６１０と、閏秒更新データ６２０と、内部時刻データ６３０と、時計表示用時刻データ６４０と、タイムゾーンデータ６５０とが記憶される。
【００３７】
受信時刻データ６１０には、衛星信号から取得した時刻情報（ＧＰＳ時刻）が記憶される。この受信時刻データ６１０は、通常は計時装置５０によって１秒毎に更新され、衛星信号を受信した際には、取得した時刻情報（ＧＰＳ時刻）によって修正される。
【００３８】
閏秒更新データ６２０には、少なくとも現在の閏秒のデータが記憶される。すなわち、衛星信号のサブフレーム４、ページ１８には、閏秒に関するデータとして、「現在の閏秒」、「閏秒の更新週」、「閏秒の更新日」、「更新後の閏秒」の各データが含まれる。このうち、本実施形態では、少なくとも「現在の閏秒」のデータを、閏秒更新データ６２０に記憶している。
【００３９】
内部時刻データ６３０には、内部時刻情報が記憶される。この内部時刻情報は、受信時刻データ６１０に記憶されたＧＰＳ時刻と、閏秒更新データ６２０に記憶している「現在の閏秒」とによって更新される。すなわち、内部時刻データ６３０には、ＵＴＣ（協定世界時）が記憶されることになる。受信時刻データ６１０が前記計時装置５０で更新される際に、この内部時刻情報も更新される。
【００４０】
時計表示用時刻データ６４０には、前記内部時刻データ６３０の内部時刻情報に、タイムゾーンデータ６５０のタイムゾーンデータ（タイムゾーン情報、時差情報）を加味した時刻データが記憶される。タイムゾーンデータ６５０は、測位モードで受信した場合に得られる位置情報で設定される。
【００４１】
タイムゾーンデータ記憶部６８０は、位置情報（緯度、経度）とタイムゾーン情報（時差情報）とを関連付けて記憶している。このため、測位モードで位置情報を取得した場合、制御装置４０は、その位置情報（緯度、経度）に基づいてタイムゾーンデータを取得できるようにされている。
【００４２】
なお、タイムゾーンデータ記憶部６８０には、さらに、都市名とタイムゾーンデータとを関連付けて記憶してもよい。この場合、入力装置７０の操作によって、ユーザーが現地時刻を知りたい都市名を選択すると、制御装置４０は、タイムゾーンデータ記憶部６８０に対してユーザーが設定した都市名を検索し、その都市名に対応するタイムゾーンデータを取得してタイムゾーンデータ６５０に設定すればよい。
【００４３】
定時受信時刻記憶部６９０には、測時部４１０における定時受信処理を実行する定時受信時刻が記憶される。この定時受信時刻は、前回、強制受信に成功した時刻が記憶される。
【００４４】
［制御装置］
図３に戻って、制御装置４０は、電子時計１を制御するＣＰＵで構成されている。制御装置４０は、測時部４１０と、測位部４２０と、タイムゾーン設定部４３０と、自動タイムゾーン修正部４４０と、自動時刻修正部４５０と、りゅうず段数判定部４６０と、りゅうず回転操作判定部４７０と、手動時刻修正部４８０と、手動タイムゾーン修正部４９０と、を備える。
【００４５】
［測時部］
測時部４１０は、受信装置３０を作動して測時モードでの受信処理を行う。本実施形態では、自動受信処理と手動受信処理とにおいて測時モードでの受信処理を実行する。
自動受信処理は、定時自動受信処理と、光自動受信処理の２種類がある。すなわち、測時部４１０は、計時している内部時刻データ６３０が、定時受信時刻記憶部６９０に記憶された定時受信時刻になった場合に、受信装置３０を作動して測時モードでの定時自動受信処理を行う。
また、測時部４１０は、ソーラーパネル２２の発電電圧または発電電流が設定値以上となり、屋外においてソーラーパネル２２に日光が照射していると判断できる場合に、受信装置３０を作動して測時モードでの光自動受信処理を行う。なお、ソーラーパネル２２の発電状態で受信装置３０を作動する処理の回数は、１日に１回等に制約してもよい。
さらに、ユーザーが入力装置７０のボタン１５を押して強制受信操作を行った場合、測時部４１０は、受信装置３０を作動して測時モードでの手動受信処理を行う。
【００４６】
測時部４１０は、受信装置３０で少なくとも１つのＧＰＳ衛星１００を捕捉し、そのＧＰＳ衛星１００から送信される衛星信号を受信して時刻情報を取得する。
【００４７】
［測位部］
測位部４２０は、ユーザーが入力装置７０のボタン１５を押して強制受信操作を行った場合に、受信装置３０を作動して測位モードでの受信処理を行う。
なお、制御装置４０は、ボタン１５を押している時間に応じて、測時部４１０による測時モードでの受信処理と、測位部４２０による測位モードでの受信処理を切り替えて実行する。すなわち、制御装置４０は、ボタン１５を第１設定時間（３秒以上、６秒未満）押した場合には測時モードでの受信処理を行い、第２設定時間（６秒以上）押した場合には測位モードでの受信処理を行う。
なお、予め測時モード、測位モード、閏秒受信モードを選択して設定しておき、前記自動受信処理（定時自動受信処理や光自動受信処理）時には設定したモードで受信処理を行ってもよい。
【００４８】
測位部４２０は、測位モードでの受信処理を開始すると、受信装置３０で少なくとも３個、好ましくは４個以上のＧＰＳ衛星１００を捕捉し、各ＧＰＳ衛星１００から送信される衛星信号を受信して位置情報を算出して取得する。また、測位部４２０は、衛星信号を受信した際に時刻情報も同時に取得できる。
【００４９】
［タイムゾーン設定部］
タイムゾーン設定部４３０は、測位部４２０で位置情報の取得に成功した場合、取得した位置情報（緯度、経度）に基づいてタイムゾーンデータを設定する。具体的には、タイムゾーンデータ記憶部６８０から位置情報に対応するタイムゾーンデータ（タイムゾーン情報つまり時差情報）を選択して取得し、タイムゾーンデータ６５０に記憶する。
例えば、日本標準時（ＪＳＴ）は、ＵＴＣに対して９時間進めた時刻（ＵＴＣ＋９）であるため、測位部４２０で取得した位置情報が日本である場合には、タイムゾーン設定部４３０は、タイムゾーンデータ記憶部６８０から日本標準時の時差情報（＋９時間）を読み出してタイムゾーンデータ６５０に記憶する。
【００５０】
［自動タイムゾーン修正部］
自動タイムゾーン修正部４４０は、タイムゾーン設定部４３０がタイムゾーン情報を設定すると、時計表示用時刻データ６４０を、タイムゾーンデータを用いて修正する。このため、時計表示用時刻データ６４０は、ＵＴＣである内部時刻データ６３０にタイムゾーンデータを加算した時刻となる。
【００５１】
［自動時刻修正部］
自動時刻修正部４５０は、測時部４１０や測位部４２０の受信処理で時刻情報の取得に成功した場合、取得した時刻情報で受信時刻データ６１０を修正する。このため、内部時刻データ６３０および時計表示用時刻データ６４０も修正される。時計表示用時刻データ６４０が修正されると、時計表示用時刻データ６４０と同期している指針１２の指示時刻も修正される。
【００５２】
［りゅうず段数判定部］
りゅうず段数判定部４６０は、回転検出機構２７における第３スイッチ２７４Ａまたは第４スイッチ２７４Ｂからの引出検出信号に基づいて、りゅうず１４が引き出されたか否かを判定する。
りゅうず１４が引き出されていない状態では、第３スイッチ２７４Ａおよび第４スイッチ２７４Ｂの双方がオフ状態となる。この場合では、りゅうず段数判定部４６０は、りゅうず１４が引き出されていない（引出段数が「０」である）と判定する。また、りゅうず１４が１段引き出されると、第３スイッチ２７４Ａがオン状態、第４スイッチ２７４Ｂがオフ状態となり、第３スイッチ２７４Ａから制御装置４０に引出検出信号が入力される。この場合、りゅうず段数判定部４６０は、りゅうず１４の引出段数が「１」であると判定する。さらに、りゅうず１４が２段引き出されると、第３スイッチ２７４Ａがオフ状態、第４スイッチ２７４Ｂがオン状態となり、第４スイッチ２７４Ｂから制御装置４０に引出検出信号が入力される。この場合、りゅうず段数判定部４６０は、りゅうず１４の引出段数が「２」であると判定する。
【００５３】
［りゅうず回転操作判定部］
りゅうず回転操作判定部４７０は、りゅうず回転設定部４７１、りゅうず回転検出部４７２、りゅうず回転判定部４７３、りゅうず操作判別部４７４を備えている。
【００５４】
［りゅうず回転設定部］
りゅうず回転設定部４７１は、りゅうず回転判定部４７３にりゅうずの回転を検出する際の回転判定モードを設定可能に構成されている。回転判定モードの詳細については後述する。また、りゅうず回転設定部４７１は、後述する連続回し判別時間Ｔ、回転検出時間ｔ、第１入力無視時間Ｍ１、第２入力無視時間Ｍ２、第１入力検定時間Ｃ１等をそれぞれ設定する。すなわち、りゅうず回転設定部４７１は、本発明の回転設定部の一例である。
【００５５】
［りゅうず回転検出部］
りゅうず回転検出部４７２は、回転検出機構２７から出力される検出信号により、接点２７２Ａと第１スイッチ２７３Ａとの接触状態および接点２７２Ｂと第２スイッチ２７３Ｂとの接触状態を検出する。
図５は、りゅうず回転検出部４７２に回転検出機構２７から出力される検出信号が入力される状態を示す図である。
りゅうず回転検出部４７２は、サンプリングクロックがオン（Ｈレベル）の状態において、入力ポートに入力されたＨｉｇｈレベルまたはＬｏｗレベルの検出信号を検出する。この際、りゅうず回転検出部４７２は、りゅうず回転設定部４７１により、チャタリングの影響を軽減するために入力検定時間が設定されている。具体的には、図５に示すように、入力ポートに入力される検出信号が、ＬｏｗレベルからＨｉｇｈレベルに切り替わる際と、ＨｉｇｈレベルからＬｏｗレベルに切り替わる際とに第１入力検定時間Ｃ１が設定されている。本実施形態では、３クロック分の第１入力検定時間Ｃ１が設定されている。そのため、りゅうず回転検出部４７２は、検出信号がＬｏｗレベルからＨｉｇｈレベルに切り替わる際に、Ｈｉｇｈレベルの検出信号が３クロック分連続して入力ポートに入力されたら、Ｈｉｇｈレベルの検出信号を入力ポートデータに入力する。同様に、検出信号がＨｉｇｈレベルからＬｏｗレベルに切り替わる際に、Ｌｏｗレベルの検出信号が３クロック分連続して入力ポートに入力されたら、Ｌｏｗレベルの検出信号を入力ポートデータに入力する。そして、入力ポートデータに、Ｈｉｇｈレベルの検出信号が入力されたら、第１信号が入力されたと検出し、Ｌｏｗレベルの検出信号が入力されたら、第２信号が入力されたと検出する。すなわち、りゅうず回転検出部４７２は本発明の回転検出部の一例である。
【００５６】
［りゅうず回転判定部］
りゅうず回転判定部４７３は、りゅうず回転検出部４７２で検出した信号に基づいて、りゅうず１４の回転を判定する。この際、りゅうず回転判定部４７３は、りゅうず回転設定部４７１により設定された回転判定モードに応じたタイミングで、りゅうず１４の回転を判定する。すなわち、りゅうず回転判定部４７３は、本発明の回転判定部の一例である。
【００５７】
［りゅうず操作判別部］
りゅうず操作判別部４７４は、りゅうず回転設定部４７１が設定する連続回し判別時間Ｔの間に、りゅうず回転判定部４７３が判定したりゅうず１４の回転回数に応じて、りゅうず１４の単回し操作または連続回し操作を判別する連続回し判別処理を実行する。本実施形態では、りゅうず操作判別部４７４は、連続回し判別時間Ｔの間に、りゅうず回転判定部４７３がりゅうず１４の回転を１回のみ判定した場合、りゅうず１４が単回し操作されたと判別する。また、りゅうず操作判別部４７４は、連続回し判別時間Ｔの間に、りゅうず回転判定部４７３がりゅうず１４の回転を所定回数として２回判定した場合、りゅうず１４が連続回し操作されたと判別する。すなわち、りゅうず操作判別部４７４は本発明の操作判別部の一例である。
なお、連続回し判別処理の詳細については後述する。
【００５８】
［手動時刻修正部］
手動時刻修正部４８０は、例えば、りゅうず段数判定部４６０により引出段数が「２」と判定された際に、りゅうず回転判定部４７３により判定されたりゅうず１４の回転回数に応じて、駆動機構２１０の時分針モーター２１４を駆動させ、表示装置１０に表示される指針１２の指示時刻を修正する。この際、指針１２と同期している内部時刻データ６３０および時計表示用時刻データ６４０も同時に修正される。
ここで、手動時刻修正部４８０は、りゅうず操作判別部４７４が単回し操作を判別した場合、指針１２を駆動させる駆動モードとして単修正モードを設定し、連続回し操作を判別した場合、駆動モードとして早回し修正モードを設定する。そして、手動時刻修正部４８０は設定した駆動モードに基づいて、時分針モーター２１４に駆動信号を出力する。
単修正モードでは、手動時刻修正部４８０は、りゅうず回転判定部４７３で回転が１回判定された際に、時分針モーター２１４を制御して、分針１２２を正転方向または逆転方向に６０秒（１分）分駆動させる。本実施形態では、分針１２２は、１２パルスで６度（１分）駆動する。この際、手動時刻修正部４８０は、通常の運針速度よりも速い駆動速度で分針１２２および時針１２３を駆動させる。
【００５９】
また、早回し修正モードは、分針１２２および時針１２３を通常の運針速度よりも速い早回し速度で連続駆動させるモードであり、手動時刻修正部４８０は、時分針モーター２１４に連続駆動パルスを出力する。
この早回し修正モードでは、分針１２２および時針１２３を正転方向に駆動させる場合、例えば６４Ｈｚの連続駆動パルスを時分針モーター２１４に出力し、逆転方向に駆動させる場合、例えば４２Ｈｚの連続駆動パルスを時分針モーター２１４に出力する。また、早回し修正モード中に、りゅうず回転判定部４７３が次の回転を判定した場合、早回し修正モードは終了するように設定されている。
【００６０】
［手動タイムゾーン修正部］
手動タイムゾーン修正部４９０は、例えば、りゅうず段数判定部４６０により引出段数が「１」と判定された際に、ユーザーが手動でタイムゾーンを選択することで、表示装置１０に表示される指針１２の指示時刻を、ユーザーが選択したタイムゾーンの時刻に合わせることができる。
具体的には、ユーザーがりゅうず１４を１段引き出すと、りゅうず段数判定部４６０は、りゅうず１４の引出段数が「１」であると判定する。そして、りゅうず段数判定部４６０がりゅうず１４の引出段数を「１」と判定すると、手動タイムゾーン修正部４９０は、駆動機構２１０の秒針モーター２１３を駆動させて、ベゼル１８に設けられた地点情報のうち現在設定されているタイムゾーンを示す位置に秒針１２１を早送り駆動させる。そして、手動タイムゾーン修正部４９０は、秒針１２１を駆動させる駆動モードとして単修正モードを設定する。
この状態で、ユーザーがりゅうず１４を操作すると、手動タイムゾーン修正部４９０は、りゅうず回転判定部４７３により判定されたりゅうず１４の回転回数に応じて、秒針モーター２１３を駆動させ、表示装置１０に表示される秒針１２１の位置を移動させる。そして、手動タイムゾーン修正部４９０は、時分針モーター２１４を駆動させて、分針１２２および時針１２３が示す時刻を秒針１２１が示すタイムゾーンに合わせる。
【００６１】
［回転判定モード］
本実施形態では、りゅうず回転設定部４７１は、回転判定モードとして、回転判定第１モード、回転判定第２モード、回転判定第３モードをりゅうず回転判定部４７３に設定可能に構成されている。この回転判定モード毎に、りゅうず１４の回転を判定するタイミングが異なる。以下に、回転判定第１モード、回転判定第２モード、回転判定第３モードにおいて、りゅうず回転判定部４７３がりゅうず１４の回転を判定するタイミングについて説明する。
【００６２】
［回転判定第１モード］
先ず、回転判定第１モードについて説明する。
図６は、回転判定第１モードにおけるりゅうず１４の回転を判定するタイミングを示す模式図である。なお、以下の説明において、りゅうず１４が右回転する場合について説明するが、りゅうず１４が左回転する場合も同様である。
図６において、Ｄ１は、りゅうず回転検出部４７２が第２信号を検出している状態、すなわち、第１スイッチ２７３Ａと接点２７２Ａとが離間しており、りゅうず回転検出部４７２にＬｏｗレベルの検出信号が入力された状態である。Ｄ３は、りゅうず回転検出部４７２が第１信号を検出している状態、すなわち、第１スイッチ２７３Ａと接点２７２Ａとが接触しており、りゅうず回転検出部４７２にＨｉｇｈレベルの検出信号が入力された状態である。Ｄ２は、第２信号から第１信号に変化したタイミング、すなわち、第１スイッチ２７３Ａと接点２７２Ａとの接触を検出したタイミングであり、Ｄ４は、第１信号から第２信号に変化したタイミング、すなわち、第１スイッチ２７３Ａと接点２７２Ａとの離間を検出したタイミングである。
本実施形態では、りゅうず１４を連続して回転させると、第１スイッチ２７３Ａと接点２７２Ａとが接触状態と非接触状態とを繰り返し、りゅうず回転検出部４７２は、Ｄ１〜Ｄ４の状態を繰り返し検出する。
【００６３】
回転判定第１モードでは、りゅうず回転判定部４７３は、Ｄ４のタイミング、すなわち、りゅうず回転検出部４７２が第１信号から第２信号に変化したタイミングで、りゅうず１４の回転を判定する。なお、本実施形態では、Ｄ４のタイミングが、本発明の第１タイミングの一例である。
この場合、りゅうず回転判定部４７３は、第１スイッチ２７３Ａと接点２７２Ａとの離間を検出したタイミングでりゅうず１４の回転を判定する。ここで、第１スイッチ２７３Ａと接点２７２Ａとが離間するタイミングでは、スイッチ車１４２の歯１４３が接点バネ２７２に固定された移動部材２７１をはじくことでクリック音（クリック感）が生じる。そのため、回転判定第１モードでは、りゅうず１４の回転を判定するタイミングとクリック感が生じるタイミングとを合わせることができる。
【００６４】
また、図６に示すように、回転判定第１モードでは、りゅうず操作判別部４７４は、Ｄ４のタイミングで連続回し判別時間Ｔを開始する。りゅうず操作判別部４７４による連続回し判別処理の詳細については後述する。
【００６５】
［回転判定第２モード］
次に、回転判定第２モードについて説明する。
図７は、回転判定第２モードにおけるりゅうず１４の回転を判定するタイミングを示す模式図である。なお、以下の説明において、りゅうず１４が右回転する場合の回転判定第２モードについて説明するが、りゅうず１４が左回転する場合も同様である。
【００６６】
図７に示すように、回転判定第２モードにおいて、りゅうず回転判定部４７３は、Ｄ２のタイミング、すなわち、第２信号から第１信号に変化したタイミングで、りゅうず１４の回転を判定する。なお、本実施形態では、Ｄ２のタイミングが、本発明の第１タイミングまたは第２タイミングの一例である。
この場合、りゅうず回転判定部４７３は、第１スイッチ２７３Ａと接点２７２Ａとの接触を検出したタイミングで、りゅうず１４の回転を判定するので、ユーザーがりゅうず１４を操作してから、りゅうず回転判定部４７３がりゅうず１４の回転を判定するまでの時間を短くでき、ユーザーがりゅうず１４を操作する際の反応性を向上できる。
また、図７に示すように、回転判定第２モードでは、りゅうず操作判別部４７４は、Ｄ２のタイミングで連続回し判別時間Ｔのカウントダウンを開始する。
【００６７】
［回転判定第３モード］
次に、回転判定第３モードについて説明する。
図８は、回転判定第３モードにおけるりゅうず１４の回転を判定するタイミングを示す模式図である。なお、以下の説明において、りゅうず１４が右回転する場合の回転判定第２モードについて説明するが、りゅうず１４が左回転する場合も同様である。
【００６８】
図８に示すように、回転判定第３モードにおいて、りゅうず回転判定部４７３は、第１信号が検出されている間において、Ｄ２のタイミングから回転検出時間ｔが経過したタイミングで、りゅうず１４の回転を判定する。すなわち、第２信号から第１信号に変化してから回転検出時間ｔが経過したタイミングで、りゅうず回転判定部４７３はりゅうず１４の回転を判定する。すなわち、本実施形態では、第２信号から第１信号に変化してから回転検出時間ｔが経過したタイミングが本発明の第２タイミングまたは第３タイミングの一例であり、回転検出時間ｔが本発明の所定時間の一例である。
【００６９】
この場合、Ｄ４のタイミングで回転を判定する場合と比べて、ユーザーがりゅうず１４を操作してから、りゅうず回転判定部４７３がりゅうず１４の回転を判定するまでの時間を短くすることができる。また、Ｄ２のタイミングで回転を判定する場合と比べて、りゅうず回転判定部４７３がりゅうず１４の回転を判定してからクリック感が生じるまでの時間を短くできる。したがって、ユーザーがりゅうず１４を操作する際の、反応性と操作感とのバランスを取ることができる。
【００７０】
また、図８に示すように、回転判定第３モードでは、りゅうず操作判別部４７４は、りゅうず回転検出部４７２で検出される検出信号が、第２信号から第１信号に変化してから回転検出時間ｔだけ経過したタイミングで連続回し判別時間Ｔを開始する。
【００７１】
このように、本実施形態では、りゅうず回転判定部４７３がりゅうず１４の回転を判定する際の回転判定モードとして、回転判定第１モード、回転判定第２モード、回転判定第３モード、の３種類の回転判定モードから選択して設定することができる。すなわち、りゅうず回転判定部４７３がりゅうず１４の回転を判定するタイミングとして、りゅうず回転検出部４７２に入力されている検出信号が、第１信号から第２信号に変化したタイミング、第２信号から第１信号に変化したタイミング、第２信号から第１信号に変化してから回転検出時間ｔが経過したタイミング、の複数種類のタイミングから選択して設定可能である。
なお、りゅうず回転設定部４７１は、回転判定第１モード、回転判定第２モード、回転判定第３モードの３種類から選択して設定可能に構成される場合に限られず、回転判定モードとして２種類から選択して設定可能に構成されてもよい。例えば、りゅうず回転設定部４７１は、回転判定第１モードおよび回転判定第２モードを設定可能に構成されてもよいし、回転判定第１モードおよび回転判定第３モードを設定可能に構成されてもよいし、回転判定第２モードおよび回転判定第３モードを設定可能に構成されてもよい。
【００７２】
［連続回し判別処理］
次に、りゅうず操作判別部４７４による連続回し判別処理について説明する。
図９は、りゅうず回転判定部４７３において、連続回し判別時間Ｔの間に、りゅうず１４の回転が１回のみ判定された場合の検出信号の入力状況を示す図であり、図１０は、りゅうず１４の回転が２回判定された場合の検出信号の入力状況を示す図である。なお、図９および図１０では、回転判定第１モードにおいて、りゅうず回転判定部４７３がりゅうず１４の回転を判定する場合を示すが、回転判定第２モードおよび回転判定第３モードにおいても、りゅうず１４の回転を判定するタイミングが異なるだけで、その他は同様の処理を行う。
【００７３】
図９に示すように、りゅうず回転判定部４７３がりゅうず１４の１回目の回転を判定した際に、りゅうず操作判別部４７４は、りゅうず回転設定部４７１が設定する連続回し判別時間Ｔを開始する。そして、連続回し判別時間Ｔの間、りゅうず回転判定部４７３でりゅうず１４の２回目の回転が判定されなかった場合、りゅうず操作判別部４７４は、連続回し判別時間Ｔが経過した時点で、りゅうず１４が単回し操作されたことを判別する。
また、この際、りゅうず回転検出部４７２は、連続回し判別時間Ｔの経過後、りゅうず回転設定部４７１が設定する第１入力無視時間Ｍ１を開始する。ここで、りゅうず回転検出部４７２は、第１入力無視時間Ｍ１の間、回転検出機構２７から入力された検出信号を受け付けない。そのため、第１入力無視時間Ｍ１の間に、りゅうず回転検出部４７２に検出信号が入力されても、りゅうず回転判定部４７３は、りゅうず１４の回転を判定しない。
【００７４】
次に、図１０に示すように、連続回し判別時間Ｔの間に、りゅうず回転判定部４７３でりゅうず１４の回転が２回判定された場合、りゅうず操作判別部４７４は、りゅうず１４が連続回し操作されたことを判別する。
また、この場合、りゅうず操作判別部４７４は、連続回し判別時間Ｔの経過を待たずに連続回し操作を判別し、りゅうず回転設定部４７１が設定する第２入力無視時間Ｍ２を開始する。第１入力無視時間Ｍ１と同様に、第２入力無視時間Ｍ２の間も、りゅうず回転検出部４７２は回転検出機構２７から入力された検出信号を受け付けない。
【００７５】
ここで、本実施形態では、りゅうず回転設定部４７１は、第１入力無視時間Ｍ１と第２入力無視時間Ｍ２とで、異なる時間を設定可能に構成されている。例えば、第１入力無視時間Ｍ１として１５０msec程度の時間が例示され、第２入力無視時間Ｍ２として２５０msec程度の時間が例示される。
本実施形態では、第１入力無視時間Ｍ１を第２入力無視時間Ｍ２よりも短い時間に設定するので、手動時刻修正部４８０において単修正モードで時刻修正を行う場合に、りゅうず回転検出部４７２は検出信号を受け付けやすくなる。つまり、ユーザーがりゅうず１４を操作した際に、りゅうず回転判定部４７３による回転の判定がされやすくなるので、ユーザーの操作性を向上できる。
また、第２入力無視時間Ｍ２を第１入力無視時間Ｍ１よりも長い時間に設定するので、手動時刻修正部４８０において早回し修正モードで時刻修正を行う場合に、りゅうず回転検出部４７２は、検出信号を受け付けにくくなる。ここで、本実施形態では、前述したように、早回し修正モード中において、次にりゅうず回転判定部４７３がりゅうず１４の回転を判定した場合、早回し修正モードが終了するように設定されている。そのため、第２入力無視時間Ｍ２を長い時間に設定することで、ユーザーの意図しない操作により早回し修正モードが終了してしまうことを防ぐことができ、ユーザーの操作性を向上できる。
なお、連続回し判別処理では、連続回し判別時間Ｔの間に、りゅうず回転判定部４７３でりゅうず１４の回転が２回判定された場合に、りゅうず操作判別部４７４が連続回し操作を判別することに限られない。りゅうず回転判定部４７３でりゅうず１４の回転が２回以上の所定回数判定された場合、例えば、所定回数として３回判定された場合に、りゅうず操作判別部４７４が連続回し操作を判別するようにしてもよい。
また、第１入力無視時間Ｍ１と第２入力無視時間Ｍ２とで、異なる時間に設定することに限られず、同じ時間に設定してもよい。
【００７６】
［制御装置の動作］
次に、手動時刻修正を行う場合の制御装置４０の動作について説明する。
図１１は、本実施形態における手動時刻修正処理のフローチャートである。なお、以下の説明において、りゅうず１４が右回転する場合について説明するが、りゅうず１４が左回転する場合も同様である。
図１１に示すように、本実施形態における手動時刻修正では、前述したように、ユーザーがりゅうず１４を２段引き出すと、手動時刻修正処理が開始する。
手動時刻修正処理では、りゅうず回転検出部４７２は、第２信号が入力されていることを検出する（Ｓ１０）。すなわち、りゅうず１４が操作されていない状態において、第１スイッチ２７３Ａと接点２７２Ａとが離れていることを検出する。そして、りゅうず回転判定部４７３は、回転判定回数を「０」に設定する（Ｓ２０）。
【００７７】
次に、りゅうず回転検出部４７２は、今回スイッチ状態を取り込む（Ｓ３０）。すなわち、今回のサンプリングクロックにおいて、入力ポートに入力されている検出信号がＨｉｇｈレベルまたはＬｏｗレベルであることを検出することで、第１スイッチ２７３Ａと接点２７２Ａとの接触状態を取り込む。
次にりゅうず操作判別部４７４は、りゅうず回転設定部４７１が設定する回転判定モードが回転判定第１モードであるか否かを判定する（Ｓ４１）。
Ｓ４１でＹｅｓと判定されたら、りゅうず回転判定部４７３は、回転判定第１モードによる回転判定を実行する（Ｓ５１）。
Ｓ４１でＮｏと判定されたら、りゅうず操作判別部４７４は、りゅうず回転設定部４７１が設定する回転判定モードが回転判定第２モードであるか否かを判定する（Ｓ４２）。
Ｓ４２でＹｅｓと判定されたら、りゅうず回転判定部４７３は、回転判定第２モードによる回転判定を実行する（Ｓ５２）。
Ｓ４２でＮｏとさらに判定されたら、りゅうず操作判別部４７４は、りゅうず回転設定部４７１が設定する回転判定モードが回転判定第３モードであると判定し、りゅうず回転判定部４７３は、回転判定第３モードによる回転判定を実行する（Ｓ５３）。
【００７８】
図１２は、回転判定第１モードにおける判定処理のフローチャートを示す図である。
Ｓ５１では、図１２に示すように、先ず、りゅうず回転判定部４７３は、前回の第１スイッチ２７３Ａがオン状態、すなわち、りゅうず回転検出部４７２が第１スイッチ２７３Ａと接点２７２Ａとの接触を検出したか否かを判定する（ＳＡ１）。
ＳＡ１でＹｅｓと判定された場合、りゅうず回転判定部４７３は、今回の第１スイッチ２７３Ａがオフ状態、すなわち、りゅうず回転検出部４７２が第１スイッチ２７３Ａと接点２７２Ａとの離間を検出したか否かを判定する（ＳＡ２）。つまり、ＳＡ１、ＳＡ２により、りゅうず回転判定部４７３は、第１スイッチ２７３Ａがオン状態からオフ状態に変化したか否かを判定する。
【００７９】
ＳＡ２でＹｅｓと判定されたら、りゅうず回転判定部４７３は、りゅうず１４が回転したと判定し、りゅうず１４の回転判定回数を「＋１」、すなわち、１回増加させる（ＳＡ３）。
そして、りゅうず操作判別部４７４は、りゅうず回転判定部４７３で判定された回転判定回数が「１」か否かを判定する（ＳＡ４）。
ＳＡ４でＹｅｓと判定されたら、りゅうず操作判別部４７４は、連続回し判別時間Ｔを開始し（ＳＡ５）、処理を終了する。
一方、ＳＡ１，ＳＡ２でＮｏと判定されたら、りゅうず１４は回転していないと判定し、処理を終了する。
また、ＳＡ４でＮｏと判定されたら、２回目以降の回転検出であり、既に連続回し判別時間Ｔが開始されているため、そのまま処理を終了する。
【００８０】
図１３は、回転判定第２モードにおける判定処理のフローチャートを示す図である。
Ｓ５２では、図１３に示すように、まず、りゅうず回転判定部４７３は、前回の第１スイッチ２７３Ａがオフ状態、すなわち、りゅうず回転検出部４７２が第１スイッチ２７３Ａと接点２７２Ａとの離間を検出したか否かを判定する（ＳＢ１）。
ＳＢ１でＹｅｓと判定された場合、りゅうず回転判定部４７３は、今回の第１スイッチ２７３Ａがオン状態、すなわち、りゅうず回転検出部４７２が第１スイッチ２７３Ａと接点２７２Ａとの接触を検出したか否かを判定する（ＳＢ２）。つまり、ＳＢ１、ＳＢ２により、りゅうず回転判定部４７３は、第１スイッチ２７３Ａがオフ状態からオン状態に変化したか否かを判定する。
【００８１】
ＳＢ２でＹｅｓと判定されたら、りゅうず回転判定部４７３は、りゅうず１４が回転したと判定し、りゅうず１４の回転判定回数を「＋１」、すなわち、１回増加させる（ＳＢ３）。
そして、りゅうず操作判別部４７４は、りゅうず回転判定部４７３で判定された回転判定回数が「１」か否かを判定する（ＳＢ４）。
ＳＢ４でＹｅｓと判定されたら、りゅうず操作判別部４７４は、連続回し判別時間Ｔを開始し（ＳＢ５）、処理を終了する。
一方、ＳＢ１，ＳＢ２でＮｏと判定されたら、りゅうず１４は回転していないと判定し、処理を終了する。
また、ＳＢ４でＮｏと判定されたら、２回目以降の回転検出であり、既に連続回し判別時間Ｔは開始されているため、そのまま処理を終了する。
【００８２】
図１４は、回転判定第３モードにおける判定処理のフローチャートを示す図である。
Ｓ５３では、図１４に示すように、まず、りゅうず回転判定部４７３は、今回の第１スイッチ２７３Ａがオン状態、すなわち、りゅうず回転検出部４７２が第１スイッチ２７３Ａと接点２７２Ａとの接触を検出したか否かを判定する（ＳＣ１）。
ＳＣ１でＹｅｓと判定された場合、りゅうず回転判定部４７３は、回転判定クロック数を「＋１」、すなわち、１回増加させる（ＳＣ２）。
【００８３】
次に、りゅうず回転判定部４７３は、回転判定クロック数が所定のクロック数ｎであるか否かを判定する（ＳＣ３）。ここで、本実施形態では、回転検出時間ｔは、サンプリングクロックの周期に所定のクロック数ｎを乗じた値が設定されている。そのため、回転判定クロック数がｎになったタイミングは、今回の第１スイッチ２７３Ａがオン状態になってから回転検出時間ｔだけ経過したタイミングである。
ＳＣ３でＹｅｓと判定されたら、りゅうず回転判定部４７３は、りゅうず１４が回転したと判定し、りゅうず１４の回転判定回数を「＋１」、すなわち、１回増加させる（ＳＣ４）。
そして、りゅうず操作判別部４７４は、りゅうず回転判定部４７３で判定された回転判定回数が「１」か否かを判定する（ＳＣ５）。
ＳＣ５でＹｅｓと判定されたら、りゅうず操作判別部４７４は、連続回し判別時間Ｔを開始し（ＳＣ６）、処理を終了する。
一方、ＳＣ１でＮｏと判定されたら、りゅうず回転判定部４７３は回転判定クロック数を「０」に設定し（ＳＣ７）、処理を終了する。
また、ＳＣ３でＮｏと判定されたら、今回の第１スイッチ２７３Ａがオン状態になってから回転検出時間ｔが経過したタイミングではないと判定し、そのまま処理を終了する。
さらに、ＳＣ５でＮｏと判定されたら、２回目以降の回転検出であり、既に連続回し判別時間Ｔは開始されているため、そのまま処理を終了する。
【００８４】
図１１に戻って、Ｓ５１，Ｓ５２，Ｓ５３で、りゅうず回転判定部４７３は、設定されたモードに応じてりゅうず１４の回転判定を実行したら、りゅうず操作判別部４７４は、回転判定回数が２回か否かを判定する（Ｓ６１）。
Ｓ６１でＹｅｓと判定されたら、りゅうず操作判別部４７４は、りゅうず１４が連続回し操作されたことを判別する。そして、手動時刻修正部４８０は、駆動モードとして早回し修正モードを設定し、時分針モーター２１４に連続駆動パルスを出力して、分針１２２および時針１２３を駆動させる（Ｓ７１）。
また、りゅうず回転検出部４７２は、第２入力無視時間Ｍ２を開始する（Ｓ８１）。
そして、Ｓ８１で開始した第２入力無視時間Ｍ２が経過したか否かを判定する（Ｓ９１）。Ｓ９１でＮｏと判定されたら、Ｓ９１の処理を繰り返す。
【００８５】
一方、Ｓ６１でＮｏと判定されたら、りゅうず操作判別部４７４は、回転判定回数が１回か否かを判定する（Ｓ６２）。
Ｓ６２でＮｏと判定されたら、Ｓ５１，Ｓ５２，Ｓ５３でりゅうず１４の回転が判定されていない、すなわち、りゅうず１４は回転していないので、Ｓ３０に戻り、りゅうず１４の回転を判定する処理を繰り返す。
【００８６】
Ｓ６２でＹｅｓと判定されたら、りゅうず操作判別部４７４は、連続回し判別時間Ｔが経過した否かを判定する（Ｓ６３）。
Ｓ６３でＮｏと判定されたら、りゅうず１４の１回目の回転が判定されてから、連続回し判別時間Ｔが経過しておらず、りゅうず１４の単回し操作が判別されていないので、Ｓ３０に戻り、りゅうず１４の回転を判定する処理を繰り返す。
Ｓ６３でＹｅｓと判定されたら、りゅうず操作判別部４７４は、りゅうず１４が単回し操作されたことを判別する。そして、手動時刻修正部４８０は、駆動モードとして単回し修正モードを設定し、時分針モーター２１４を制御して、分針１２２を正転方向または逆転方向に６０秒（１分）分駆動させる（Ｓ７２）。
また、りゅうず回転検出部４７２は、第１入力無視時間Ｍ１を開始する（Ｓ８２）。
そして、Ｓ８２で開始した第１入力無視時間Ｍ１が経過したかを判定する（Ｓ９２）。Ｓ９２でＮｏと判定されたら、Ｓ９２の処理を繰り返す。
Ｓ９１またはＳ９２でＹｅｓと判定されたら、制御装置４０のりゅうず段数判定部４６０は、りゅうず１４が２段引きされているかを判定する（Ｓ１００）。Ｓ１００でＮｏと判定されたら、手動時刻修正処理を終了する。Ｓ１００でＹｅｓと判定されたら、Ｓ２０の処理に戻り、手動時刻修正処理を継続する。なお、第２入力無視時間Ｍ２経過後、設定されている回転判定モードにて１回目の回転判定がなされると、分針１２２および時針１２３の駆動を停止させ、その後、Ｓ２０以降の処理を実行する。
また、図示を省略しているが、手動時刻修正処理中において、りゅうず段数判定部４６０が、りゅうず１４の引出段数が「０」または「１」に変更されたと判定すると、手動時刻修正処理は終了される。
【００８７】
［第１実施形態の作用効果］
このような本実施形態によれば、以下の効果を得ることができる。
本実施形態では、りゅうず回転設定部４７１は、りゅうず回転判定部４７３がりゅうず１４の回転を判定する回転判定モードとして、回転判定第１モード、回転判定第２モード、回転判定第３モードの３種類から選択して設定することができる。
そのため、回転判定モードを回転判定第１モードに設定すれば、りゅうず１４の回転を判定するタイミングとクリック音（クリック感）が生じるタイミングとを合わせることができ、ユーザーの操作感を向上できる。
また、回転判定モードを回転判定第２モードに設定すれば、ユーザーがりゅうず１４を操作してから、りゅうず回転判定部４７３が回転を判定するまでの時間を短くでき、ユーザーがりゅうず１４を操作する際の反応性を向上できる。
さらに、回転判定モードを回転判定第３モードに設定すれば、ユーザーがりゅうず１４を操作してから、りゅうず回転判定部４７３が回転を判定するまでの時間を短くしつつ、りゅうず回転判定部４７３が回転を判定してからクリック音（クリック感）が生じるまでの時間を短くできるので、ユーザーがりゅうず１４を操作する際の、反応性と操作感とのバランスを取ることができる。
【００８８】
本実施形態では、りゅうず操作判別部４７４は、りゅうず回転判定部４７３が２回の回転を判定したタイミングで連続回し操作を判別するので、連続回し判別時間Ｔの経過を待たずに連続回し操作を判別できる。そのため、りゅうず１４が連続回し操作されたことを判別するまでの時間を短くできる。
【００８９】
本実施形態では、りゅうず回転設定部４７１は、第１入力無視時間Ｍ１と第２入力無視時間Ｍ２とをそれぞれ設定可能に構成されている。そのため、例えば、第１入力無視時間Ｍ１を短い時間に設定すれば、ユーザーがりゅうず１４を操作した際の反応性を向上できる。また、第２入力無視時間Ｍ２を長い時間に設定すれば、ユーザーの意図しない操作により早回し修正モードが終了してしまうことを防ぐことができ、ユーザーの操作性を向上できる。
【００９０】
［第２実施形態］
次に、本発明の第２実施形態を図面に基づいて説明する。
第２実施形態では、連続回し判別処理において、りゅうず回転設定部４７１は、１回目の回転の判定と２回目の回転の判定とを異なる回転判定モード、すなわち、１回目の回転を判定するタイミングと２回目の回転を判定するタイミングと、で異なる種類のタイミングを設定できる点で前記第１実施形態と異なる。
なお、本実施形態の電子時計１の構造は、前記第１実施形態と同様であるから、その詳細な説明は省略または簡略化する。
【００９１】
図１５は、りゅうず回転判定部４７３が、１回目の判定を回転判定第１モードで行い、２回目の判定を回転判定第２モードで行う場合の連続回し判別処理を示す模式図である。また、図１６は、りゅうず回転判定部４７３が、１回目の判定を回転判定第２モードで行い、２回目の判定を回転判定第１モードで行う場合の連続回し判別処理を示す模式図である。
【００９２】
本実施形態では、図１５に示すように、連続回し判別処理において、りゅうず回転判定部４７３は回転判定第１モード、すなわち、検出信号が第２信号から第１信号に切り替わるタイミングで１回目の回転を判定する。そして、１回目の判定後、回転判定第２モード、すなわち、検出信号が第１信号から第２信号に切り替わるタイミングで２回目の回転を判定する。この場合、りゅうず回転判定部４７３が１回目の回転を判定してから、２回目の回転を判定するまでの時間が短くなるので、連続回し判別時間Ｔの間に２回の回転が判定されやすくなる。そのため、ユーザーが、早回し修正モードで時刻修正を行うために、りゅうず１４を連続回し操作したい場合に、りゅうず１４を極端に早く回転させなくてもよく、ユーザーの操作性を向上できる。
【００９３】
また、図１６に示すように、連続回し判別処理において、りゅうず回転判定部４７３は回転判定第２モード、すなわち、検出信号が第１信号から第２信号に切り替わるタイミングで１回目の回転を判定する。そして、１回目の判定後、回転判定第１モード、すなわち、検出信号が第２信号から第１信号に切り替わるタイミングで２回目の回転を判定する。この場合、りゅうず回転判定部４７３が１回目の回転を判定してから、２回目の回転を判定するまでの時間が長くなるので、連続回し判別時間Ｔの間に２回の回転が判定されにくくなる。そのため、ユーザーが意図しない操作によって、連続回し操作が判別され、早回し修正モードが実行されることを防ぐことができる。
このように、第２実施形態では、ユーザーの志向等に応じて、１回目の回転を判定するタイミングと、２回目の回転を判定するタイミングとで、異なる種類のタイミングを設定することができ、ユーザーがりゅうず１４を操作する際の操作感や反応性を向上できる。
【００９４】
［第３実施形態］
次に、本発明の第３実施形態を図面に基づいて説明する。
第３実施形態では、りゅうず操作判別部４７４は、連続回し判別時間Ｔの経過を待たずりゅうず１４の単回し操作を判別する連続回し判別無効モードに設定可能に構成されている点で、前記第１、第２実施形態と異なる。
なお、本実施形態の電子時計１の構造は、前記第１、第２実施形態と同様であるから、その詳細な説明は省略または簡略化する。
【００９５】
図１７は、りゅうず操作判別部４７４が、連続回し判別無効モードに設定されている場合に、りゅうず１４の操作を判別する処理を示す模式図である。
図１７に示すように、連続回し判別無効モードが設定されている状態では、りゅうず操作判別部４７４は、りゅうず回転判定部４７３がりゅうず１４の回転を判定した後、連続回し判別時間Ｔを経過することなく単回し操作を判別する。すなわち、りゅうず操作判別部４７４は連続回し判別処理を実行しない。
ここで、りゅうず回転判定部４７３が連続回し判別無効モードに設定されていない場合は、りゅうず回転判定部４７３は、りゅうず１４の回転を判定後、連続回し判別時間Ｔが経過してから単回し操作を判別する。そのため、りゅうず回転判定部４７３が回転を判定してから、単回し操作を判別するまでに、連続回し判別時間Ｔだけ時間差が生じる。
一方、りゅうず回転判定部４７３が連続回し判別無効モードに設定されている場合は、前述のように、連続回し判別時間Ｔを経過することなく単回し操作を判別するので、りゅうず回転判定部４７３が回転を判定してから、単回し操作を判別するまでの時間差を短くできる。したがって、ユーザーがりゅうず１４を操作する際の反応性を向上できる。
特に、早回し修正モードで時刻修正を行っている場合、ユーザーは、連続駆動している分針１２２および時針１２３を所定の位置で止める必要がある。そのため、本実施形態のように、りゅうず回転判定部４７３が連続回し判別無効モードに設定可能に構成されていることで、ユーザーが所定の位置で分針１２２および時針１２３を止めやすくすることができる。
【００９６】
［第４実施形態］
次に、本発明の第４実施形態を図面に基づいて説明する。
第４実施形態では、りゅうず回転検出部４７２の入力ポートに入力される検出信号が、ＬｏｗレベルからＨｉｇｈレベルに切り替わる際の入力検定時間と、ＨｉｇｈレベルからＬｏｗレベルに切り替わる際の入力検定時間とを、それぞれ設定可能に構成される点で前記第１〜第３実施形態と異なる。
なお、本実施形態の電子時計１の構造は、前記第１〜第３実施形態と同様であるから、その詳細な説明は省略または簡略化する。
【００９７】
図１８は、りゅうず回転検出部４７２に検出信号が入力される状態を示す図である。
図１８に示すように、本実施形態では、入力ポートに入力される検出信号が、ＬｏｗレベルからＨｉｇｈレベルに切り替わる際の入力検定時間として、１クロック分の第１入力検定時間Ｃ１が設定されている。また、入力ポートに入力される検出信号が、ＨｉｇｈレベルからＬｏｗレベルに切り替わる際の入力検定時間として、３クロック分の第２入力検定時間Ｃ２が設定されている。すなわち、りゅうず回転設定部４７１は、第１入力検定時間Ｃ１と第２入力検定時間Ｃ２とを、それぞれ設定可能に構成されている。
ここで、本実施形態では、第１スイッチ２７３Ａと接点２７２Ａとが接触する際に発生するチャタリングの期間は比較的短いので、第１入力検定時間Ｃ１を短い時間に設定することにより、りゅうず１４を回転させた際の反応性を向上させることができる。また、第１スイッチ２７３Ａと接点２７２Ａとが離間する際に発生するチャタリングの期間は比較的長いので、第２入力検定時間Ｃ２を第１入力検定時間Ｃ１よりも長い時間に設定することにより、チャタリングの影響を軽減することができる。
このように、本実施形態では、第１スイッチ２７３Ａと接点２７２Ａとが接触する際と、離間する際とのチャタリングの状況に応じて入力検定時間を設定できるので、ユーザーの操作性を向上でき、かつ、チャタリングの影響を軽減することができる。
【００９８】
［第５実施形態］
次に、本発明の第５実施形態を図面に基づいて説明する。
第５実施形態では、電子時計１の機種、りゅうず１４の操作目的、指針１２の駆動モード等に応じて、りゅうず回転設定部４７１が回転判定モードを設定可能に構成される点で前記第１〜第４実施形態と異なる。
【００９９】
図１９は、りゅうず回転設定部４７１による回転判定モードの設定例を示す図である。
ここで、図１９において、想定スイッチオン期間とは、ユーザーがりゅうず１４を操作する際に、第１スイッチ２７３Ａと接点バネ２７２とが接触している時間として想定される時間である。この想定スイッチオン期間は、回転検出機構２７の構造やりゅうず１４の直径等、すなわち電子時計の機種によって異なる。例えば、一般的に、りゅうず１４の直径が大きくなるほど、想定スイッチオン期間は長くなる。また、年齢や性別等の個人差によっても想定スイッチオン期間は異なる。すなわち、電子時計のターゲットユーザーによっても異なる。
また、前述したように、回転判定モード毎に、ユーザーが操作する際の反応性や操作感が異なる。そのため、時刻修正やタイムゾーン修正といった操作目的に応じて最適な回転判定モードは異なる。
【０１００】
本実施形態では、図１９に示すように、りゅうず回転設定部４７１は、想定スイッチオン期間、操作目的、駆動モードに応じて、回転判定モードを設定可能に構成されている。
例えば、想定スイッチオン期間が５〜１５msecの電子時計１において、単修正モードによる時刻修正を行う場合、りゅうず１４の回転方向によらず、１回目の回転の判定は回転判定第１モードに設定している。これにより、りゅうず回転判定部４７３による回転の判定のタイミングとクリック音（クリック感）が生じるタイミングとを合わせることができ、ユーザーの操作感を向上できる。
ここで、一般的に、ユーザーがりゅうず１４を操作する際に、りゅうず１４の回転方向によって回転速度が異なる傾向がある。具体的には、ユーザーがりゅうず１４を右回転させる場合よりも、左回転させる場合のほうが回転速度は遅くなりやすい。そのため、連続回し判別処理において、ユーザーがりゅうず１４を左回転させる場合、２回の回転が判定されにくい。
そこで、本実施形態では、想定スイッチオン期間が５〜１５msecの電子時計１において、りゅうず１４を左回転させる場合、２回目の判定が回転判定第２モードに設定している。すなわち、りゅうず回転判定部４７３は、前述した図１５に示す設定となっている。これにより、連続回し判別処理において、回転が２回判定されやすくなるので、りゅうず１４を左回転させる場合において、ユーザーの操作性を向上できる。
このように、電子時計１の機種や操作目的によって、りゅうず回転設定部４７１は適切な回転判定モードを設定できるので、ユーザーがりゅうず１４を操作する際の操作感や反応性を向上できる。
なお、初期設定時にユーザーがりゅうず１４を操作した際に、第１スイッチ２７３Ａと接点バネ２７２とが接触している時間を、想定スイッチオン期間として設定可能に構成されていてもよい。
【０１０１】
［他の実施形態］
なお、本発明は前述の各実施形態に限定されるものではなく、本発明の目的を達成できる範囲での変形、改良等は本発明に含まれるものである。
【０１０２】
上記実施形態では、ステップモーターを制御し、指針を駆動させることで時刻を表示する電子時計を例示したが、例えば液晶ディスプレイ等の表示装置に時刻をデジタル表示させる構成としてもよい。
【０１０３】
上記実施形態では、回転検出機構２７として、スイッチ車１４２により移動部材２７１および接点バネ２７２を移動させ、第１スイッチ２７３Ａおよび接点２７２Ａ、または、第２スイッチ２７３Ｂおよび接点２７２Ｂを接触させることで検出信号を制御装置４０に出力したが、これに限定されない。回転検出機構としては、例えば、光センサー等によってりゅうずの回転や回転量を検出し検出信号を出力する構成等としてもよい。
【０１０４】
上記実施形態では、本発明の回転操作部材としてりゅうず１４を例示したが、これに限定されない。例えば、ベゼルが回転可能に設けられ、当該ベゼルが本発明の回転操作部材を構成してもよい。この場合、回転検出機構は、ベゼルの回転を検出して検出信号を出力するように構成してもよい。このような構成でも、上記実施形態と同様の作用効果を奏することができる。
【符号の説明】
【０１０５】
１…電子時計、１０…表示装置、１４…りゅうず（回転操作部材）、２７…回転検出機構、２７１…移動部材、２７２…接点バネ、２７３…回路基板、２７３Ａ…第１スイッチ（接点）、２７３Ｂ…第２スイッチ（接点）、３０…受信装置、４０…制御装置、４７０…回転操作判定部、４７１…りゅうず回転設定部（回転設定部）、４７２…りゅうず回転検出部（回転検出部）、４７３…りゅうず回転判定部（回転判定部）、４７４…りゅうず操作判別部（操作判別部）、４８０…手動時刻修正部、４９０…手動タイムゾーン修正部、７０…入力装置。
【図１】
2019174166.tif 000003
【図２】
2019174166.tif 000004
【図３】
2019174166.tif 000005
【図４】
2019174166.tif 000006
【図５】
2019174166.tif 000007
【図６】
2019174166.tif 000008
【図７】
2019174166.tif 000009
【図８】
2019174166.tif 000010
【図９】
2019174166.tif 000011
【図１０】
2019174166.tif 000012
【図１１】
2019174166.tif 000013
【図１２】
2019174166.tif 000014
【図１３】
2019174166.tif 000015
【図１４】
2019174166.tif 000016
【図１５】
2019174166.tif 000017
【図１６】
2019174166.tif 000018
【図１７】
2019174166.tif 000019
【図１８】
2019174166.tif 000020
【図１９】
2019174166.tif 000021